(57)【特許請求の範囲】
【請求項１】
鋼製外皮内にフラックスを充填してなるガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：２．０〜７．０％、
ＳｉＯ２：０．２〜１．５％、
ＺｒＯ２：０．１〜１．２％、
弗化物（Ｆ換算値）：０．０１〜０．３％を含有することを特徴とするガスシールドアーク溶接用フラックス入りワイヤ。
【請求項２】
鋼製外皮内にフラックスを充填してなるすみ肉溶接に使用するガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：２．０〜５．０％、
ＳｉＯ２：０．２〜１．２％、
ＺｒＯ２：０．１〜１．２％、
弗化物（Ｆ換算値）：０．０１〜０．３％を含有することを特徴とするガスシールドアーク溶接用フラックス入りワイヤ。
【請求項３】
鋼製外皮内にフラックスを充填してなる全姿勢溶接に使用するガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：４．０〜７．０％、
ＳｉＯ２：０．３〜１．５％、
ＺｒＯ２：０．３〜１．２％、
Ａｌ（１．５％以下）又はＭｇ（０．８％以下）の１種又は２種：０．１〜１．５％、
弗化物（Ｆ換算値）：０．０１〜０．２％を含有することを特徴とするガスシールドアーク溶接用フラックス入りワイヤ。
【請求項４】
上記鉄系Ｓｉ−Ｍｎ合金粉の比透磁率（μ）が１．１０以下であることを特徴とする請求項１〜３のいずれか１つに記載のガスシールドアーク溶接用フラックス入りワイヤ。
【請求項５】
ワイヤ全重量に対して鉄粉を１０％以下含有することを特徴とする請求項１〜４のいずれか１つに記載のガスシールドアーク溶接用フラックス入りワイヤ。
【請求項６】
ワイヤ全重量に対してワイヤの水素量が０．００７％以下であることを特徴とする請求項１〜５のいずれか１つに記載のガスシールドアーク溶接用フラックス入りワイヤ。
【請求項７】
ワイヤ全重量に対してワイヤの窒素量が０．０１０％以下であることを特徴とする請求項１〜６のいずれか１つに記載のガスシールドアーク溶接用フラックス入りワイヤ。
【発明の詳細な説明】
【０００１】
【発明の属する技術分野】
本発明は船舶、橋梁、鉄骨などの鋼構造物の製造に使用する軟鋼、高張力鋼及び低合金鋼用のガスシールドアーク溶接用フラックス入りワイヤ（以下、フラックス入りワイヤと言う。）に関し、特に溶接作業能率向上のために高電流溶接条件で使用した場合でも溶接作業性が良好なすみ肉溶接用及び全姿勢溶接用のガスシールドアーク溶接用フラックス入りワイヤに関する。
【０００２】
【従来の技術】
すみ肉溶接に使用するフラックス入りワイヤは、例えば、特開昭６１−１４７９９３号公報、特開平３−２９４０９２号公報など種々提案されているが、水平すみ肉溶接の一段の高速化が要望されている。一般にすみ肉溶接に使用するフラックス入りワイヤには、鋼構造物の製造期間中の防錆を目的に塗布されたプライマに起因して発生するピット、ガス溝の防止対策がなされている。しかし、高速水平すみ肉溶接においては鋼板に塗布されたプライマの種類、膜厚の影響が増長し、耐プライマ`性が問題となる。また、高速化にともない目標脚長を確保するために必然的に高電流溶接条件となり、ビードの凸状化、ビード止端部のなじみ性不良、アンダーカット、スラグ焼き付きによる外観及びスラグ剥離性の劣化などが問題になる。
【０００３】
全姿勢溶接用フラックス入りワイヤは、下向、水平、上向、立向などの姿勢溶接が可能であるため最も汎用化しているが、特に高電流溶接条件で使用した場合の立向溶接のメタル垂れ防止及び広い溶接条件範囲での適用性が要望されている。立向溶接においてメタル垂れが発生するとビード止端部のなじみ性や外観、スラグ剥離性が問題となる。
【０００４】
【発明が解決しようとする課題】
そこで、本発明は高電流溶接条件の高速水平すみ肉溶接に使用した場合でも良好な耐プライマ性、ビード形状、外観及びスラグ剥離性が得られるすみ肉溶接用のガスシールドアーク溶接用フラックス入りワイヤ、及び高電流域を含む広い溶接条件範囲で使用して立向溶接の耐メタル垂れ性を始めとする各種溶接作業性が良好な全姿勢溶接用フラックス入りワイヤを提供することを目的とする。
【０００５】
【課題を解決するための手段】
本発明者らは、高電流溶接条件で行う高速水平すみ肉溶接及び立向溶接で問題となる前記溶接作業性改善のために、それぞれ種々のフラックス入りワイヤを試作して詳細に検討した。
【０００６】
まず、水平すみ肉溶接用フラックス入りワイヤの耐プライマ性の向上には、スラグ形成剤の制限、弗化物の添加、ワイヤの水素量の制限などに加えて、高電流溶接条件で使用した場合のアーク状態の安定性が重要である。即ち、溶接中、安定したアーク状態が継続していれば、溶融プール表面に浮上した溶融スラグはアークカにより後方に連続的に速やかに後退し、溶融プールからの水素ガスの放出がスムーズに行われるのでピットやガス溝が発生しない。他方、ワイヤの溶融状態が乱れてアーク状態が不安定になると溶融スラグの後退が不連続的になり、このとき凝固したスラグが厚めになっている部分にはピットの発生頻度が高くなる。
【０００７】
また、高電流溶接条件で使用した場合のビード形状、外観及びスラグ剥離性の向上には、溶融スラグの流動性や凝固温度などを組成的に調整すること及び上記安定したアーク状態を保ち、充分なスラグ被包性を保つことが重要である。スラグ被包性が不充分な場合、ビードの凸状化やアンダーカット、スラグ焼き付きによる外観及びスラグ剥離性が劣化する。
【０００８】
次に、全姿勢溶接用フラックス入りワイヤを高電流溶接条件で立向溶接に使用した場合の耐メタル垂れ性に対しても、上記アーク状態の安定化は必須条件である。
【０００９】
立向下進溶接ではアークカによって溶融プールの上方に溶融スラグを保持しながら下方に溶接が進行するが、安定したアーク状態が継続していれば溶融スラグは溶融プール上方にスムーズに押し上げられ速やかに凝固するのでメタル垂れは発生しない。このときビード全体をスラグが被包し止端部のなじみ性が良好でなめらかな形状のビードが形成され、スラグ焼き付きやスラグ巻き込みがなく剥離性も良好となる。他方、アーク状態が不安定になると溶融スラグが瞬間的に垂れ、ビード形状の凹凸、スラグ巻き込み欠陥及びそのスラグ巻き込み部から派生した割れが認められるようになる。立向上進溶接の高電流化や溶接条件範囲の拡大にも同様にアーク状態及びスラグ被包性はメタル垂れ、ビード止端部のなじみ性及びスラグ剥離性に影響する。
【００１０】
本発明者らは、上記フラックス入りワイヤの溶接作業性改善に共通して重要な影響を及ぼすアーク状態及びスラグ被包性の安定化に対し、前記特定した鉄系Ｓｉ−Ｍｎ合金粉を一定量以上含有させることが極めて効果的であることを見いだし、さらに、スラグ形成剤、弗化物を必須成分として限定したフラックス入りワイヤにおいて、所期の目的を達成したものである。
【００１１】
本発明の要旨は、以下のとおりである。
【００１２】
（１）  鋼製外皮内にフラックスを充填してなるガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：２．０〜７．０％、
ＳｉＯ２：０．２〜１．５％、
ＺｒＯ２：０．１〜１．２％、
弗化物（Ｆ換算値）：０．０１〜０．３％を含有することを特徴とするガスシールドアーク溶接用フラックス入りワイヤ。
【００１３】
（２）  鋼製外皮内にフラックスを充填してなるすみ肉溶接に使用するガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：２．０〜５．０％、
ＳｉＯ２：０．２〜１．２％、
ＺｒＯ２：０．１〜１．２％、
弗化物（Ｆ換算値）：０．０１〜０．３％を含有することを特徴とするガスシールドアーク溶接用フラックス入りワイヤ。
【００１４】
（３）  鋼製外皮内にフラックスを充填してなる全姿勢溶接に使用するガスシールドアーク溶接用フラックス入りワイヤにおいて、重量％で、
Ｃを０．４０〜１．２０％、Ｓｉを５〜１２％、Ｍｎを１９〜４２％含み、残部Ｆｅからなり、かつ、Ｓｉ≧１１．８９−２．９２Ｃ−０．０７７Ｍｎ（１式）を満たし、粒径が２１２μｍ以下の鉄系Ｓｉ−Ｍｎ合金粉をワイヤ全重量に対して１．０〜１１．０％含有し、
さらに、
ＴｉＯ２：４．０〜７．０％、
ＳｉＯ２：０．３〜１．５％、
ＺｒＯ２：０．３〜１．２％、
Ａｌ（１．５％以下）又はＭｇ（０．８％以下）の１種又は２種：０．１〜１．５％、
弗化物（Ｆ換算値）：０．０１〜０．２％を含有することを特徴とするガスシールドアーク溶接用フラックス入りワイヤ。
【００１５】
（４）  上記鉄系Ｓｉ−Ｍｎ合金粉の比透磁率（μ）が１．１０以下であることを特徴とする上記（１）〜（３）のいずれか１つに記載のガスシールドアーク溶接用フラックス入りワイヤ。
【００１６】
（５）  ワイヤ全重量に対して鉄粉を１０％以下含有することを特徴とする上記（１）〜（４）のいずれか１つに記載のガスシールドアーク溶接用フラックス入りワイヤ。
【００１７】
（６）  ワイヤ全重量に対してワイヤの水素量が０．００７％以下であることを特徴とする上記（１）〜（５）のいずれか１つに記載のガスシールドアーク溶接用フラックス入りワイヤ。
【００１８】
（７）  ワイヤ全重量に対してワイヤの窒素量が０．０１０％以下であることを特徴とする上記（１）〜（６）のいずれか１つに記載のガスシールドアーク溶接用フラックス入りワイヤ。
【００１９】
【発明の実施の形態】
以下に、本発明のフラックス入りワイヤに含有させる鉄系Ｓｉ−Ｍｎ合金粉の作用効果とその限定理由について説明する。
【００２０】
フラックス入りワイヤの鋼製外皮素材にはＳｉ、Ｍｎが低く伸線加工性が良好な軟鋼材が一般的に用いられている。このため充填するフラックス中には溶接金属の機械的性質を確保するための脱酸及び合金剤としてＳｉ、Ｍｎの原料粉の配合比率が高い。これの原料粉として従来より金属Ｓｉ、金属Ｍｎ、フェロシリコン、フェロマンガン、シリコマンガンなどが用いられている。また、高張力鋼用や低温用鋼用などのＮｉを含有するフラックス入りワイヤにはフェロニッケル粉やＮｉ粉が用いられている。
【００２１】
しかるに、図３（ａ）、（ｂ）に示すように、上記金属粉原料を多量に含有させたフラックス入りワイヤの長手方向断面を観察すると、異常部を拡大して図３（ａ）に模式的に示したように外皮部１に肉厚が薄い部分５やフラックス２内に含有されているフラックス原料粉６（金属粉、合金粉）が外皮部１に噛み込んだ部分７が見られる。このように外皮部肉厚の不均一の度合いが大きくなると、アーク安定剤が含有されていたとしても、ワイヤの溶融状態が乱れ、安定したアーク状態及びスラグ被包状態を保つことが出来なくなる。
【００２２】
このような外皮部肉厚の変動は、伸線加工の進行にともないフラックス部が外皮部から連続的な押し圧力を受け、順次圧縮され堅く締まった状態となり、フラックス原料の個々の粒子の移動が妨げられ、外皮部の延びに対するフラックス部の追従性が悪くなったことによって生じたものである。
【００２３】
これに対し、図３（ｂ）に本発明のフラックス入りワイヤの長手方向断面のフラックス充填状態を模式的に示した。外皮部１の肉厚の均一性は良好で、フラックス２内に含有されているフラックス原料粉の噛み込みは見られず、このようなフラックス入りワイヤのアーク状態及びスラグ被包状態は極めて安定している。
【００２４】
この外皮部肉厚の均一化はフラックス中に分散された本発明で特定したフラックス原料粉である鉄系Ｓｉ−Ｍｎ合金粉８（拡大図）のフェロアロイ粉によってもたらされる。本発明で用いる鉄系Ｓｉ−Ｍｎ合金粉はＣ、Ｓｉ及びＭｎの含有量の限定に加えて、Ｓｉの下限をＣ、Ｍｎとの関係（１式）で規制したことにより得られる極めて脆い鉄合金粉（フェロアロイ粉）である。さらに、粒径を２１２μｍ以下に限定したことにより、このような細粒にまで工業的に粉砕製造出来る鉄系Ｓｉ−Ｍｎ合金粉は、個々の粒子に微小な亀裂（ひび割れ）を有している。この亀裂が伸線加工時に粒子を破砕しやすくして外皮部肉厚の均一化に効果的に働く。
【００２５】
即ち、フラックス充填後、一般にダイス群あるいはロール群によりワイヤが縮径される毎にフラックス部は押し圧力を受け、このとき非常に脆い原料粉であればその粒子は押し圧力に抗しきれず破砕される。さらに、亀裂を有している個々の粒子の破砕性は極めて良好で、縮径毎にこの破砕挙動が繰り返される結果、鉄合金粉自体及び周囲近傍のフラックス粒子を移動しやすくし、細径段階まで外皮部の延びに対するフラックス部の追従性を良好に保つことが出来るようになる。
【００２６】
鉄系Ｓｉ−Ｍｎ合金粉の粒径が２１２μｍを超えて粗粒のものを用いた場合、破砕しにくい粒子の混入や粒子数的にフラックス中に充分に分散させることが出来ず、伸線加工中の破砕効果が小さくフラックス部の追従性が不充分で外皮部肉厚の不均一が生じやすくなる。なお、粒径２１２μｍ以下において、仕上がりワイヤ径、充填フラックス中への含有量及び充填フラックスの性状（造粒、非造粒、かさ密度等）などを考慮して最適な粒径のものを選択することが好ましい。
【００２７】
さらに、鉄系Ｓｉ−Ｍｎ合金粉を含有させることは、ワイヤ組成の編析を防止してスラグ被包性を改善することにも有効である。即ち、Ｓｉ、Ｍｎの原料として従来から用いられているＳｉ粉、Ｍｎ粉、フェロシリコン、フェロマンガン、シリコマンガンになどを組み合わせて配合するよりも、目標とするＳｉとＭｎを同時に満足する組成の鉄系Ｓｉ−Ｍｎ合金粉を予め用意して、これをＳｉ、Ｍｎの原料として配合した方がワイヤ中のフラックス成分の変動が小さくなる。また、鉄系Ｓｉ−Ｍｎ合金粉のＳｉ、Ｍｎの含有量を従来一般的に用いられているシリコマンガン（ＪＩＳ  Ｇ  ２３０４−１９８６）に比較して格段に少なくし、かつ粒径も２１２μｍ以下に限定したことは、フラックス中にＳｉ、Ｍｎの品位の低い粒子を充分に分散することが出来るのでＳｉとＭｎの偏析防止に効果的である。例えば、ワイヤ長手方向にＳｉ、Ｍｎの偏析が生じていると、これらの脱酸反応で生成したＳｉＯ2、ＭｎＯはスラグの生成量、流動性などを部分的に変化させスラグ被包性を劣化させ、ビード形状、外観スラグ剥離性、さらには耐プライマ性にまで悪影響をおよぼす。
【００２８】
なお、この偏析防止効果を最大限に発揮させるためには、ワイヤ組成としてフラックス中に必要なＳｉ及びＭｎの所定量の全量を満たすように鉄系Ｓｉ−Ｍｎ合金粉の含有させることが最も好ましい。
【００２９】
図１に後記実施例１で水平すみ肉溶接試験に使用したフラックス入りワイヤの鉄系Ｓｉ−Ｍｎ合金粉に含有量とピットの発生状況及び外皮部肉厚の均一性との関係を示した。鉄系Ｓｉ−Ｍｎ合金粉をワイヤ中に１．０％以上含有させることによって外皮部肉厚の均一性が高まり、ピット発生個数が激減していることがわかり、このときスラグ被包性も改善されている（試験Ｎo.１〜５とＮo.１２との比較）。全姿勢溶接用フラックス入りワイヤについても同様に、鉄系Ｓｉ−Ｍｎ合金粉をワイヤ中に１．０％以上含有させることによって立向き溶接の高電流使用性を高めることが出来ることを確認した。
一方、鉄系Ｓｉ−Ｍｎ合金粉の使用量の上限については、フラックス入りワイヤに許容されるワイヤ全体のＳｉ（１．５％以下）、Ｍｎ（５％以下）の許容量を考慮し、１１．０％以下とする。
【００３０】
なお、外皮部肉厚の均一性は、図３（ａ）に示したようにワイヤ長さ２０ｍｍ（連続しない任意の３箇所から採取）について連続的に５０倍で写真撮影し、観察写真上で平均的な肉厚Ｔlに対する最小肉厚部分の肉厚Ｔ2の比率（Ｔ2／Ｔlの最小値）を求めて評価した。
【００３１】
鉄系Ｓｉ−Ｍｎ合金粉の成分限定理由を以下に述べる。
【００３２】
Ｃは伸線加工中の鉄合金粉の破砕性を良好にし、また鉄合金粉の非磁性化にも有効に作用する成分であり０．４０％以上必要である。鉄系Ｓｉ−Ｍｎ合金粉のＣが０．４０％未満では伸線加工中に破砕しにくく、外皮部肉厚の均一性が得られない。一方、Ｃが１．２０％を超えても鉄合金粉の破砕性及び非磁性化に対する効果はほとんど変わらないので上限を１．２０％に限定した。
【００３３】
Ｓｉは伸線加工中の破砕性を良好にするために５％以上必要である。Ｓｉが５％未満では破砕効果が充分に発揮されず外皮部肉厚の均一性が改善されない。一方、Ｓｉが１２％を超えても破砕性に対する効果はほとんど変わらないので、Ｆｅ成分が多くなるように上限を１２％に限定した。このとき、ＳｉはＣ及びＭｎの含有量との関係において、Ｓｉ≧１１．８９−２．９２Ｃ−０．０７７Ｍｎ（１式）で規制される。この１式を満たす組成であれば極めて脆くなり、また大部分の粒子に亀裂が生じ伸線加工中の破砕性が良好になる。
Ｍｎは伸線加工中の破砕性及び非磁性化のために１９％以上必要である。Ｍｎが４２％を超えても破砕性及び非磁性化への効果が変わらないことと、Ｆｅ成分が多くなるように上限を４２％に限定した。
【００３４】
Ｃ、Ｓｉ及びＭｎ以外の残部は実質的にＦｅからなるが、Ａｌ、Ｔｉ、Ｐ、Ｓ及びＢなどを添加する場合は伸線加工中の破砕性、非磁性化及び溶接金属の機械的性質を損なわない範囲で含有させることが出来る。またＮについては溶接金属の靭性面から出来るだけ少ない方がよいが、破砕性及び非磁性化に有効な成分であり適宜添加することも出来る。
【００３５】
以下に本発明のフラックス入りワイヤに必須成分として含有させるスラグ形成剤、弗化物及び強脱酸剤の限定理由を述べる。
【００３６】
ＴｉＯ2：２．０〜７．０％
ＴｉＯ2はスラグ被包性を良好にし、なめらかな形状、外観のビード形成、スラグ剥離性、また、全姿勢溶接における溶融メタルの保持などに有効で、スラグ形成剤の主要成分として含有させる。
【００３７】
すみ肉溶接用フラックス入りワイヤの場合、ＴｉＯ2が２．０％未満ではスラグ生成量が不足しスラグ被包性が不充分で、ビードの凸状化やアンダーカットが発生しやすくなる。また、ビードが部分的に露出したりスラグがビード表面に焼き付くことによる外観不良やスラグ剥離性不良となる。一方、ＴｉＯ2が５．０％を超えるとスラグ生成量が多くなりすぎて溶融プールからのプライマ燃焼ガスの放出が阻害され、ピット、ガス溝が発生しやすくなる。また、図６は立板９と下板１０とのすみ肉溶接ビード１２の下板へのなじみ性を示し、過剰なＴｉＯ2は図６（ｂ）に示したように立板９と下板１０とのすみ肉溶接ビード１２のビード止端部１３を膨らませ下板１０とのなじみ性を悪くする。
【００３８】
全姿勢用フラックス入りワイヤの場合、ＴｉＯ2が４．０％未満ではスラグ生成量が不足し、溶融スラグの粘性が小さくなり立向上進溶接や上向溶接が困難になる。一方、ＴｉＯ2が７．０％を超えるとスラグ生成量が多くなりすぎて、立向溶接でメタル垂れ、ビード止端部形状不良、スラグ巻き込み、ビード表面割れなどが発生しやすくなる。ＴｉＯ2の原料はルチール、チタンスラグなどでよく、含有量はそれらのＴｉＯ2換算値とする。
【００３９】
ＳｉＯ2：０．２〜１．５％
ＳｉＯ2は溶融スラグに適度の粘性を与え、高電流溶接条件で使用した場合のスラグ被包性の劣化を防止しビード形状を整え、スラグ焼き付きを防止する。
【００４０】
すみ肉溶接用フラックス入りワイヤの場合、ＳｉＯ2が０．２％未満では高電流溶接条件で使用した場合、溶融スラグの粘性が不足しスラグ被包性が悪くなる。このためビードが凸状になり、また、ビードの立板側に除去しにくいスラグが薄く残ったり、ビード中央部にスラグ焼き付きによるあばた状の痕跡が発生する。一方、ＳｉＯ2が１．２％を超えるとスラグ生成量が多くなりすぎてピット、ガス溝が発生しやすくなる。また、溶融スラグの粘性が大きくなりすぎてビード止端部のなじみ，性が悪くなる。
【００４１】
全姿勢溶接用フラックス入りワイヤの場合、ＳｉＯ2が０．３％未満ではスラグ被包性が悪くなり立向上進溶接でメタル垂れが発生しやすく、また、ビード形状及びスラグ剥離性が劣化する。一方、ＳｉＯ2が１．５％を超えると立向溶接で溶融スラグの凝固が遅れ、ビード止端部の不揃い、メタル垂れ、スラグ巻き込みが発生しやすくなる。ＳｉＯ2の原料は珪砂やジルコンサンドなどでよい。
【００４２】
ＺｒＯ2：０．１〜１．２％
ＺｒＯ2はスラグ被包性を良好にしビード形状を整え、また、全姿勢溶接性のためには必須の成分である。
【００４３】
すみ肉溶接用フラックス入りワイヤの場合、ＺｒＯ2が０．１％未満では高電流溶接条件で使用した場合、溶融スラグの凝固が遅く止端部が膨らんだビード形状となる。また、スラグ被包性が悪くビードが露出したり、スラグ焼き付きが発生する。一方、ＺｒＯ2が１．２％を超えると溶融プールが小さくなり、ブライマ燃焼ガスの放出が抑制されピット、ガス溝が発生しやすくなる。また、ビード幅が小さく凸状で止端部のなじみが悪いビード形状となる。このときスラグ剥離性も悪くなる。
【００４４】
全姿勢用フラックス入りワイヤの場合、ＺｒＯ2が０．３％未満では立向上進溶接がほとんど出来ない。一方、ＺｒＯ2が１．２％を超えると立向溶接でメタル垂れが発生しやすくなる。ＺｒＯ2の原料はジルコンサンド、ジルコニアなどでよい。
【００４５】
弗化物（Ｆ換算値）：０．０１〜０．３％
Ｆはアークに適度の集中性を付与し、半自動溶接時のワイヤの操作性を高めるとともに、その撹拌作用により溶融プールに侵入した水素ガスの放出を促進しピット、ガス溝の発生を防止する。また、溶融スラグの流動性を調整しスラグ被包性を良好にするために含有させる。
【００４６】
すみ肉用フラックス入りワイヤの場合、Ｆを０．０１％以上含有させて耐プライマ性とビード形状を良好にするが、０．３％を超えると溶融スラグの粘性が小さくなりすぎて、ビードの凸状化やスラグが焼き付きなどの悪影響が現れる。
全姿勢用フラックス入りワイヤの場合、Ｆを０．０１％以上含有させて同様にピット、ガス溝の防止、スラグ被包性を図るが、０．２％を超えると立向溶接でメタル垂れが発生しやすくなる。Ｆの原料は弗化リチウム、弗化ナトリウム、珪弗化カリウム、氷晶石などの弗化物でよく、含有量はＦ換算値とする。
【００４７】
Ａｌ（１．５％以下）又はＭｇ（０．８％以下）の１種又は２種：０．１〜１．５％  全姿勢溶接用フラックス入りワイヤの場合、強脱酸剤であるＡｌやＭｇを必須成分として０．１％以上含有させることは、溶接金属の酸素量を低減して機械的性質を向上させると同時に、立向溶接の耐メタル垂れ性を顕著に改善する。しかし、Ａｌが１．５％を超えた場合やＭｇが０．８％を超えた場合、Ａｌ又はＭｇの１種又は２種の合計が１．５％を超えた場合は溶融スラグにＡｌ2Ｏ3やＭｇＯが多くなりすぎてメタル垂れが発生しやすくなる。なお、すみ肉溶接用フラックス入りワイヤの場合、Ａｌ、Ｍｇはビード形成に有効であるが、安価なＡｌ2Ｏ3やＭｇＯをスラグ形成剤として用いても良好なビード形状が得られるので適宜添加出来る成分とした。
【００４８】
すみ肉溶接用及び全姿勢溶接用フラックス入りワイヤに共通して、ワイヤのもつ水素量を極力低減することは、耐プライマ，性及び耐割れ，性の向上のために効果的である。図２（ａ）、（ｂ）に示した外皮部１内にフラックス２を有する断面構造のシームレスタイプのフラックス入りワイヤは製造段階で高温度で行う脱水素処理が可能で、また、開封後、使用中の吸湿がないためワイヤの水素量を極めて低く出来る。このような断面構造のフラックス入りワイヤは、図２（ａ）に示すように、一般的に鋼管にフラックスを充填するか、あるいは、図２（ｂ）に示すように、例えば特公平４−７２６４０号公報、特公平−６２８３８号公報及び特開平５−３１５９４号公報等の提案に見られるような帯鋼を管状体に成形して外皮部１とする段階でフラックス２を充填した後、帯鋼の合わせ目をシーム溶接４する方法で製造される。
【００４９】
特に帯鋼の合わせ目をシーム溶接して製造されるシームレスタイプのフラックス入りワイヤにおいては、フラックス中に強磁性の原料粉を含有させるとシーム溶接部にそれらが吸着し微小な外皮割れが発生しやすく溶接性能に悪影響をおよぼすことが問題となる。従って、帯鋼の合わせ目をシーム溶接を行って製造するシームレスタイプのフラックス入りワイヤの溶接性能向上には、前記伸線加工中の破砕性が良好な鉄系Ｓｉ−Ｍｎ合金粉であって、かつ、実質的に非磁性のものを選択してフラックス中に含有させることが最適である。
【００５０】
鉄系Ｓｉ−Ｍｎ合金粉の比透磁率（μ）が１．１０以下の鉄系合金粉であれば溶接部に融合不良が発生しないで安定したシーム溶接が可能で、溶接中に安定したワイヤ溶融状態となり、ピットの発生やビード形状、外観に悪影響を及ぼすことがないことを確認した。比透磁率（μ）が１．１０以下という値はフェライト量がほとんど消失し磁性を僅かに帯びる性質を有する限界値であって実質的に非磁性と言える。比透磁率（μ）は振動試料型磁力計で測定した。
【００５１】
本発明のフラックス入りワイヤは、さらに、鉄粉を含有させることにより溶着量が多くなり作業能率が向上するとともに、アーク状態を極めて安定にし、また、溶融プールを拡くすることが出来る。
【００５２】
すみ肉溶接用フラックス入りワイヤの場合、アーク状態の安定化と溶融プールの拡大はプライマ燃焼ガスの放出を速やかにして耐プライマ性とビード止端部のなじみ性を一層良好にする。全姿勢溶接用フラックス入りワイヤの場合は立向溶接で問題となる耐メタル垂れ性を向上させる。
【００５３】
本発明では鉄粉を含有させる場合、ワイヤ全重量に対し１０％以下に限定した。これはフラックス中に金属粉があまり多く含有させてフラックス充填率が高くすると外皮部肉厚が全体的に薄くなりワイヤ製造中に断線しやすくなることを考慮したものである。
【００５４】
なお、鉄粉は強磁性体であるため帯鋼の合わせ目のシーム溶接を行って製造する場合、シーム溶接部に吸着しないように、例えば、シーム溶接速度やシーム溶接時の管状体のサイズ、シーム溶接部近傍の装置的対策などに配慮するとともに、原料粉そのままの非造粒フラックスよりも水ガラスやデキストリンなどの粘結剤を添加して造粒したフラックス形態にすることが好ましい。
【００５５】
本発明のフラックス入りワイヤの耐プライマ性は、さらに、ワイヤの水素量を０．００７％以下にすることにより一層発揮される。ワイヤ表面に付着している水分及び油性潤滑剤、鋼製外皮中の水素及び充填フラックスの水分などフラックス入りワイヤ自体が有する水素は、アーク雰囲気中の水素分圧を高めて溶融プールに侵入する水素量を増加させピット、ガス溝の発生原因になる。従って、シームレスタイプのフラックス入りワイヤの場合には充填前のフラックスの乾燥及び焼成、充分に低水素化出来る中間焼鈍条件を選択することが重要である。これに対して、図２（ｃ）、（ｄ）に示したシームレスタイプとは異なり、外皮部１に合わせ目３がある断面構造のフラックス入りワイヤの場合には耐吸湿処理や内部のフラックス２が変質しない温度で焼成することなどを行うことによりワイヤの水素量を極力低減することが好ましい。なお、ワイヤの水素量の測定はワイヤ全体を溶融して行う不活性ガス融解熱伝導法により行った。
【００５６】
本発明のフラックス入りワイヤの窒素量は溶接金属の衝撃靭性を確保するために少なくとも０．０１０％以下、特に−４０℃以下の低温靭性が要求される場合には０．００５％以下であることが好ましい。ワイヤの窒素量は鋼製外皮、鉄系Ｓｉ  −Ｍｎ合金粉及びその他のフラックス原料粉に含まれる窒素、また、製造過程でフラックスとともに巻き込まれた空気によるものであり、これらに配慮して出来るだけ低減する必要がある。
【００５７】
なお、その他のワイヤ成分として、Ａｌ2Ｏ3、ＭｇＯ、ＦｅＯ、Ｆｅ2Ｏ3、ＭｎＯ、ＭｎＯ2、ＦｅＳ2などのスラグ形成剤、ＭｎＣＯ3、ＣａＣＯ3などのガス発生剤、Ｃ、Ｔｉ、Ｚｒなどの脱酸剤、Ｃｒ、Ｍｏ、Ｎｂ、Ｖ、Ｂなどの合金剤、Ｂｉ、Ｂｉ2Ｏ3などのスラグ剥離性補助剤を本発明の効果を損なうことのない範囲で含有させることが出来る。
【００５８】
これらの内、すみ肉溶接用フラックス入りワイヤにＡｌ2Ｏ3やＭｇＯ、ＦｅＯ、Ｆｅ2Ｏ3などの鉄酸化物をスラグ形成剤として含有させてビード形状や耐プライマ性を改善することが出来る。しかし、Ａｌ2Ｏ3が１．０％を超えると水平すみ肉溶接で溶融スラグの凝固むらが見られ、ビード表面の凹凸、ビード止端部の不揃いなどビード形状、外観の劣化、スラグ剥離性も悪くなる。ＭｇＯは１．０％を超えると耐ブライマ性が劣化する。鉄酸化物も１．０％を超えるとスラグ生成量が多くなり耐プライマ性の劣化、スラグの粘性が小さくなりすぎてスラグ被包性不良及び下板側ビード止端部のなじみ性不良、スラグ除去性不良などの悪影響が現れる。全姿勢用フラックス入りワイヤにＡｌ2Ｏ3を含有させることは、立向上進溶接には好ましいが、立向上進溶接でメタル垂れを発生しやすくなるので、適宜添加出来る成分とした。
【００５９】
鋼製外皮としてはワイヤの伸線加工性の点から従来のフラックス入りワイヤに一般的に用いられている軟鋼材でよいが、ＳｉやＭｎを高めに含有する合金鋼材を用いてその高溶着性を利用することも出来る。
【００６０】
フラックス充填率は高溶着、高能率性を得るために１０％以上とし、一方、上限については充填率があまり高くなると外皮部の肉厚が薄くなってワイヤ製造段階で断線が発生しやすくなるので２５％以下が好ましい。
【００６１】
ワイヤ径は１．０〜２．０ｍｍの細径のものが高溶着で好ましい。ワイヤ断面構造図２に示したような従来のフラックス入りワイヤに一般的な構造のものでよい。
【００６２】
本発明のフラックス入りワイヤと組み合わせて使用するシールドガスはＣＯ2ガスでよいが、Ａｒ系混合ガスを使用することもできる。
以下に、実施例により本発明の効果をさらに具体的に示す。
【００６３】
【実施例】
（実施例１）
表１に実施例で使用した鋼管、帯鋼のサイズおよび化学成分を示す。
【００６４】
【表１】
0003730440.tif 000002
【００６５】
表１に示した軟鋼製鋼管（Ｐ１）を所定の充填率が得られる充填径にまで縮径して、これに振動充填方式で鋼管の一方の端口からフラックス（造粒フラックス）を充填後、ロール群及び孔ダイス群により伸線を行った。ワイヤ径３．２ｍｍで脱水素処理及び加工硬化緩和のための中間焼鈍（６５０℃×２ｈｒ）を行い、図２（ａ）に示したワイヤ断面構造のシームレスタイプのすみ肉溶接用フラックス入りワイヤ（記号：Ｗ１〜Ｗ１３、ワイヤ径１．６ｍｍ）を試作した。表２に鉄系Ｓｉ−Ｍｎ合金粉の組成及び比透磁率を示した。表３に試作ワイヤの詳細、表４に試作ワイヤの断面観察による外皮部肉厚の均一性の調査結果及び水平すみ肉溶接試験結果を示した。
【００６６】
【表２】
0003730440.tif 000003
【００６７】
【表３】
0003730440.tif 000004
【００６８】
【表４】
0003730440.tif 000005
すみ肉溶接の要領およびビード形状の評価として余盛率、ビード止端部角度の測定要領を図４〜図６に示す。
【００６９】
試作ワイヤの外皮部の均一性の評価は前記図３の説明に同じであるが、フラックス原料の噛み込みについては（Ｔ2／Ｔl）が０．９０未満の場合を噛み込みありとした。
【００７０】
水平すみ肉溶接試験は、図４に示すように、立板９と下板１０を逆Ｔ字すみ肉とし、両者の間はギャップなしに組み立て、Ｔ字すみ肉継手として両側同時に自動溶接で行ってすみ肉溶接ビード１２を得た。試験に用いた立板９及び下板１０は表面にプライマ塗装１１を施した無機ジンクプライマ塗装鋼板（鋼種ＳＭ４９０，板厚１２ｍｍ×長さ１５０ｃｍ、プライマ膜厚約２０μｍ、立板と下板間のギャップなし）を用いた。溶接条件は溶接電流３５０Ａ、アーク電圧３２〜３３Ｖ、溶接速度８０ｃｍ／ｍｉｎ、チップ・母材間距離２５ｍｍ、シールドガスはＣＯ2ガス（流量２５Ｌ／ｍｉｎ）で行った。
【００７１】
アーク安定性、スラグ被包性、耐プライマ性、ビード形状、外観及びスラグ剥離性の評価記号は、◎印：極めて良好、○印：良好、△印：劣る、×印：不良とした。スラグ焼き付きの評価記号は、○印：発生しない、△印：少し発生、×印：ひどく発生とした。
【００７２】
耐ブライマ性の評価はガス溝の発生がなく、ピット発生個数が３個／ｍ以下の場合を良好とした。ガス溝は溶接ビード長に対するガス溝の発生長さの合計の比率で示した。
【００７３】
図５は余盛率の測定方法を示す断面図である。図５に示すように、立板９及び下板１０のなす角度を９０°とし、上脚長Ｘｘ、下脚長ｙによって求める斜線で示す三角形の断面積をＳ0、上下ビード止端部間以上に盛られたビードの余盛部の断面積をＳ1とし、余盛率（％）は｛Ｓ1／（Ｓ0+Ｓ1）｝×１００によって求める。
【００７４】
また、図６（ａ）、（ｂ）は、ビード止端角度の測定法を示す断面である。図６に示すように、ビード止端角度は、立板９及び下板１０のすみ肉溶接ビード１２の下板１０からのビードの立ち上がり部であるビード止端部１３からビード断面の接線Ｌ1、Ｌ2を引き、該接線Ｌと下板１０がなす角度α1、α2である。図６（ａ）はビード止端部のなじみが良好な場合、図６（ｂ）はビード止端部が膨らんでなじみ性が不良な場合の例である。従って、止端部角度（α）は、図６（ａ）のほうが図６（ｂ）よりも大きくなる。
【００７５】
ビード形状の評価は、図５に示した測定方法による余盛率が２０％以下で、かつ、図６に示した測定方法によるビード止端部角度（α）が１２０゜以上で、さらに、目視判定によるビード止端部がよく揃い、アンダーカットがなく、全体的にも平滑なものを良好とした。
【００７６】
なお、試験Ｎｏ．１〜５は本発明によるフラックス入りワイヤ（Ｗ１〜５）を使用した場合で、外皮部肉厚の変動が小さく、安定したアーク状態及びスラグ被包状態下で、良好な耐プライマ性、ビード形状、外観及びスラグ剥離性が得られた。これに対し、Ｎｏ．６〜１３は比較例である。
【００７７】
試験Ｎｏ．６（Ｗ６）はＴｉＯ2が少なすぎるワイヤ、試験Ｎｏ．７（Ｗ７）はＴｉＯ2が多く弗化物を含有しないワイヤ、試験Ｎｏ．８（Ｗ８）はＳｉＯ2が少なすぎるワイヤ、試験Ｎｏ．９（Ｗ９）はＳｉＯ2及びＺｒＯ2が多すぎるワイヤ、試験Ｎｏ．１０（Ｗ１０）はＺｒＯ2を含有しないワイヤ、試験Ｎｏ．１１（Ｗ１１）は弗化物が多すぎるワイヤ、試験Ｎｏ．１２（Ｗ１２）は鉄系Ｓｉ−Ｍｎ合金粉（ＦＡ４）が少なすぎるワイヤ、試験Ｎｏ．１３（Ｗ１３）は本発明で特定した鉄系Ｓｉ−Ｍｎ合金粉を含有しないワイヤを使用した場合で、表４に示したように、それぞれにアーク安定性あるいはスラグ被包性の劣化、ピットやガス溝の発生、ビード形状不良、スラグ剥離性不良などが問題となった。
【００７８】
（実施例２）
実施例１と同様に、前記の表１に示す軟鋼製鋼管（Ｐ１）に振動充填方式でフラックスを充填して図２（ａ）に示したワイヤ断面構造のシームレスタイプの全姿勢溶接用フラックス入りワイヤ（記号：Ｗ１４〜Ｗ２２、ワイヤ径１．２ｍｍ）を試作した。表５に試作ワイヤの詳細、表６に試作ワイヤの断面観察による外皮部肉厚の均一性とともに立向下進及び立向上進姿勢の溶接試験結果を示した。なお、表６には、実施例２及び３の溶接試験結果を併記した。立向溶接試験は、無機ジンクプライマ塗装鋼板（鋼種ＳＭ４９０、板厚１２ｍｍ×長さ５０ｃｍ、プライマ膜厚約２０μｍ、立板と下板間のギャップなし）をＴ字すみ肉継手とし、半自動溶接で行った。
【００７９】
【表５】
0003730440.tif 000006
【００８０】
【表６】
0003730440.tif 000007
【００８１】
試験Ｎｏ．１４〜２２は、立向溶接の高電流化の可否を調査したものである。立向下進溶接は溶接電流２８０〜３１０Ａ、アーク電圧３０〜３３Ｖ、溶接速度約５０〜６０ｃｍ／ｍｉｎ、立向上進溶接は溶接電流２８０Ａ、アーク電圧２６〜２８Ｖ、溶接速度約１５ｃｍ／ｍｉｎ、チップ・母材間距離２０〜２５ｍｍ、シールドガスはＣＯ2ガス（流量２５Ｌ／ｍｉｎ）で行った。
【００８２】
表６中に記載のアーク安定性、スラグ被包性、ビード止端部のなじみ及びスラグ剥離性の評価記号は、◎印：極めて良好、○印：良好、△印：劣る、×印：不良とした。
【００８３】
試験Ｎｏ．１４〜１６（表６）は本発明によるフラックス入りワイヤ（Ｗ１４〜１６）を使用した場合で、外皮部肉厚の変動が小さく、安定したアーク状態及びスラグ被包状態下で、メタル垂れやスラグ巻込みの発生がなく、良好なビード形状、スラグ剥離性が得られ、立向下進溶接の高電流化（３００Ａ）が可能で、また、立向上進溶接結果も良好であった。これに対し、Ｎｏ．１７〜２２は比較例である。
【００８４】
試験Ｎｏ．１７１（Ｗ１７）はＴｉＯ2が多すぎるワイヤ、試験Ｎｏ．１８（Ｗ１８）はＳｉＯ2が多すぎるワイヤ、試験Ｎｏ．１９（Ｗ１９）はＳｉＯ2が少なくＺｒＯ2を含有しないワイヤ、試験Ｎｏ．２０（Ｗ２０）はＺｒＯ2が多く弗化物を含有しないワイヤ、試験Ｎｏ．２１（Ｗ２１）はＡｌ、Ｍｇを含有しないワイヤ、試験Ｎｏ．２２（Ｗ２２）は鉄系Ｓｉ−Ｍｎ合金粉（ＦＡ４）が少なすぎるワイヤを使用した場合で、表６に示したように、立向下進、立向上進溶接のアーク安定，性あるいはスラグ被包性の劣化、メタル垂れ、ビード止端部のなじみ、スラグ巻き込み、スラグ剥離性不良などが問題となった。
【００８５】
（実施例３）
前記の表１に示した軟鋼製帯鋼（Ｈ２）を管状体に成形する段階でフラックス（造粒フラックス）を供給した後、管状体の相対するエッジ面を高周波誘導加熱によりシーム溶接（シーム溶接時の管状耐の外径約２２ｍｍ、溶接速度１０〜３０ｍ／ｍｉｎ）して、引き続き連続的にロール群によりワイヤ径３．２ｍｍまで縮径、銅めっき処理した。以後、孔ダイス群により伸線を行い、図２（ｂ）に示したワイヤ断面構造のシームレスタイプのフラックス入りワイヤ（記号：Ｗ２３〜Ｗ２６はワイヤ径１．６ｍｍ、Ｗ２７〜Ｗ３０はワイヤ径１．２ｍｍ）を試作した。
【００８６】
なお、Ｗ２３、Ｗ２６、Ｗ２７、Ｗ３０は非磁性の鉄系Ｓｉ−Ｍｎ合金粉（ＦＡ４，ＦＡ６）を用いて、かつ、フラックス全体の比透磁率（μ）を１．１０以下にして、シーム溶接の入熱量を高め溶接速度３０ｍ／ｍｉｎで製造した。その他のワイヤは鉄粉を含有するためにシーム溶接の入熱量を制限して溶接速度約１０〜１５ｍ／ｍｉｎで製造したので外皮割れの発生は認められなかった。なお、伸線にともなう加工硬化の緩和と脱水素のためにワイヤ径１０．７ｍｍと３．２ｍｍで中間焼鈍を実施した。
【００８７】
表７に試作ワイヤの詳細、そして、表６及び表８に試験結果を示した。
なお、表８には、実施例３及び４の溶接試験結果を併記した。外皮部肉厚の均一性の測定方法、溶接試験条件等は実施例１，２に同じである。なお、表６は前記した。
【００８８】
【表７】
0003730440.tif 000008
【００８９】
【表８】
0003730440.tif 000009
【００９０】
試験Ｎｏ．２３〜２６（表８）は本発明のすみ肉溶接用フラックス入りワイヤ（Ｗ２３〜２６）を使用した場合である。いずれも良好な耐プライマ性、ビード形状、外観及びスラグ剥離性が得られているが、鉄粉を含有させたＷ２４及び鉄系Ｓｉ−Ｍｎ合金粉（ＦＡ４）を多量に含有させたＷ２６を使用した試験Ｎｏ．２４、２６は極めて安定したアーク状態及びスラグ被包状態下で、良好な耐プライマ性、ビード形状、外観及びスラグ剥離性が得られている。
【００９１】
試験Ｎｏ．２７〜３０（表６）、は本発明の全姿勢溶接用フラックス入りワイヤ（Ｗ２７〜３０）を使用した場合で、それぞれに立向下進溶接の高電流化、立向上進溶接の条件範囲の拡大が出来る。
【００９２】
（実施例４）
前記の表１に示した軟鋼製帯鋼（Ｈ１）をＵ形に成形し、この溝内にフラックス（非造粒フラックス）を供給した後、帯鋼の両端部を突き合わせて管状体にして、引き続きロール群及び孔ダイス群により伸線を行い、図２（ｃ）に示したワイヤ断面構造のフラックス入りワイヤ（記号：Ｗ３１〜３３、ワイヤ径１．６ｍｍ）を試作した。表２に示した鉄系Ｓｉ−Ｍｎ合金粉（ＦＡ２）を用いた。表９に試作ワイヤの詳細、表８に試作ワイヤの試験結果を示した。なお、表２及び表８は前記した。
【００９３】
【表９】
0003730440.tif 000010
試験Ｎｏ．３１、３２（Ｗ３１、３２）は本発明のフラックス入りワイヤを使用した場合で、良好な耐プライマ性、ビード形状、外観及びスラグ剥離性が得られた。
【００９４】
試験Ｎｏ．３３（Ｗ３３）は比較例で、ワイヤ製造段階の低水素化処理が不充分でありワイヤの水素量が多すぎるためにピット、ガス溝が多発した。
【００９５】
（実施例５）
表１０に全姿勢用フラックス入りワイヤの溶着金属試験結果（Ｊ  ＩＳ  Ｚ  ３３１３に準拠）を示した。溶接条件は溶接電流２８０Ａ、アーク電圧３１Ｖ、溶接速度３５ｃｍ／ｍｉｎ、チップ・母材間距離２５ｍｍ、シールドガスはＣＯ2ガス（流量２５Ｌ／ｍｉｎ）で行った。
【００９６】
試験Ｎｏ．３４（Ｗ２７）、Ｎｏ．３０（Ｗ３０）は本発明のフラックス入りワイヤを使用した場合で、４９０Ｎ／ｍｍ2級高張力鋼用ワイヤとして十分な強度と衝撃靭性が得られている。
【００９７】
試験Ｎｏ．３６（Ｗ２１）はＡｌやＭｇを含有しないワイヤを使用した場合の比較例で、溶着金属の酸素量が増加し、衝撃靭性が低下した。
【００９８】
【表１０】
0003730440.tif 000011
【００９９】
【発明の効果】
以上説明したように、本発明は、高電流溶接条件の高速水平すみ肉溶接に使用した場合でも良好な耐プライマ性、ビード形状、外観及びスラグ剥離性が得られるすみ肉溶接用のガスシールドアーク溶接用フラックス入りワイヤ、高電流域を含む広い溶接条件範囲で使用して立向溶接の耐メタル垂れ性を始めとする各種溶接作業性が良好な全姿勢溶接用フラックス入りワイヤを提供したものであり、溶接作業能率及び溶接部の品質が向上する。
【０１００】
【図面の簡単な説明】
【図１】  本発明を含むフラックス入りワイヤにおける鉄系Ｓｉ−Ｍｎ合金粉の含有量とピット発生状況、外皮部肉厚の均一性との関係を示した図である。
【図２】  フラックス入りワイヤの断面構造例を示した模式図である。
【図３】  フラックス入りワイヤの長手方向断面状態例を示した模式図である。
【図４】  実施例における水平すみ肉溶接試験に用いた試験体及び溶接後のビードを示した模式図である。
【図５】  実施例における水平すみ肉溶接試験ビードの余盛り率の測定方法を示した模式図である。
【図６】  実施例における水平すみ肉溶接試験ビードの止端部形状の測定方法を示した模式図である。
【符号の説明】
１  外皮
２  フラックス
３  外皮部の合わせ目
４  シーム溶接部
５  外皮部肉厚の薄い部分
６  フラックス原料粉
７  フラックス原料粉の噛み込み部分
８  鉄系Ｓｉ−Ｍｎ合金粉または鉄系Ｓｉ−Ｍｎ−Ｎｉ合金粉
９  立板
１０  下板
１１  プライマ塗装
１２  ビード
１３  ビード止端部
ｘ  上脚長
ｙ  下脚長
Ｌ1、Ｌ2  接線
α1、α2  ビード止端部角度
【図１】
0003730440.tif 000012
【図２】
0003730440.tif 000013
【図３】
0003730440.tif 000014
【図４】
0003730440.tif 000015
【図５】
0003730440.tif 000016
【図６】
0003730440.tif 000017